(57)【要約】【課題】外部装置からテキスト形式のメッセージを受けて、これをデータ変換して自動的に無線基地局装置の動作試験を行う無線基地局装置を提供する。【解決手段】外部装置からテキスト形式による無線基地局装置の動作試験に関する情報を受信する受信部と、受信部が受信したテキスト形式による情報をデータ列による制御情報に変換する変換部と、変換部が変換したデータ列による制御情報に基づく制御信号を外部の移動局に送信する送信部をもつ無線基地局装置。【選択図】図１
2010171638.tif 000002
【特許請求の範囲】
【請求項１】
外部装置からテキスト形式による当該無線基地局装置の動作試験に関する情報を受信する受信部と、
前記受信部が受信した前記テキスト形式による情報をデータ列による制御情報に変換する変換部と、
前記変換部が変換した前記データ列による制御情報に基づく制御信号を外部の移動局に送信する送信部と、を具備することを特徴とする無線基地局装置。
【発明の詳細な説明】
【技術分野】
【０００１】
この発明は、移動局と通信を行なう無線基地局装置に関し、特に、無線基地局装置の動作試験を行うために試験装置からテキスト形式の情報を受ける無線基地局装置及び無線基地局装置のデータ変換方法に関する。
【背景技術】
【０００２】
最近、携帯電話やＰＨＳ（Personal Handyphone System）等の無線移動通信システムが非常に普及してきている。このような無線移動通信システムは、複数の移動局と、これと通信を行なう基地局装置から成っているが、基地局装置の動作状態について、電波の管理及び監視を厳しく行う必要がある。
【０００３】
このような基地局装置の動作状態を試験するべく、試験装置から無線基地局装置の動作試験に関する情報を送信して、各種の動作試験を行う技術が知られている。
特許文献１は、試験装置から基地局装置に働きかけることで、基地局において通信状態の試験を行う技術を開示している。
【先行技術文献】
【特許文献】
【０００４】
【特許文献１】特開２００２−２８０９４９
【発明の概要】
【発明が解決しようとする課題】
【０００５】
このような無線基地局装置やシステムは、規模が大きい程、試験項目の数は増大し、手動での試験実施は困難となっている。このため、試験の自動化が望まれているが、試験を自動化するためには、試験対象である装置と試験を実施する外部装置とが、互いにテストメッセージを送受信し、試験対象の装置は外部装置からのテストメッセージに従って動作する必要がある。この試験対象の装置と外部装置でやり取りするテストメッセージの仕様は試験環境ごとに異なっており、簡易な仕様であるテキスト形式のメッセージが用いられることが多い。
【０００６】
しかし、特許文献１の従来技術においては、無線基地局装置において、テキスト形式のメッセージを受けてどのように試験を行うかの具体的な処理について開示されていないという問題がある。
本発明は、外部装置からテキスト形式のメッセージを受けて適切に動作試験を行う無線基地局装置を提供することを目的とする。
【課題を解決するための手段】
【０００７】
課題を解決するための一実施形態は、
外部装置からテキスト形式による当該無線基地局装置の動作試験に関する情報を受信する受信部と、
前記受信部が受信した前記テキスト形式による情報をデータ列による制御情報に変換する変換部と、
前記変換部が変換した前記データ列による制御情報に基づく制御信号を外部の移動局に送信する送信部と、を具備することを特徴とする無線基地局装置である。
【０００８】
課題を解決するための他の一実施形態は、
外部装置から、テキスト形式による無線基地局装置の動作試験に関する情報を無線基地局装置において受信し、
前記受信した前記テキスト形式による情報をデータ列による制御情報に変換し、
前記変換した前記データ列による制御情報に基づく制御信号を前記無線基地局装置から移動局に送信することを特徴とする無線基地局装置のデータ変換方法である。
【発明の効果】
【０００９】
本発明に係る無線基地局装置においては、テキスト形式のメッセージをデータ列へ変換するテキスト変換モジュールを用いることで、メッセージの解析処理と制御処理を分別し、他装置への移植性やメッセージ仕様変更時などの保守性を向上させることができる。
【図面の簡単な説明】
【００１０】
【図１】本発明の一実施形態に係る無線基地局装置を含む通信システムの構成の一例を示すシステム図。
【図２】無線基地局装置の構成の一例を示すブロック図。
【図３】無線基地局装置の変換処理の一例を示す説明図。
【図４】文字列及びデータ列の変換処理及び格納処理の一例の説明図。
【図５】無線基地局装置の変換処理の一例を示すフローチャート。
【発明を実施するための形態】
【００１１】
以下、この発明の実施の形態について図面を参照して詳細に説明する。
図１は、本発明の一実施形態に係る無線基地局装置を含む通信システムの構成の一例を示すシステム図、図２は、無線基地局装置の構成の一例を示すブロック図である。
本発明の一実施形態に係る無線基地局装置を含む通信システム１は、いわゆる携帯電話等の複数の移動局１２と通信を行なう無線基地局装置１１と、この無線基地局装置１１の動作試験を自動的に実行する試験装置１０を有している。試験装置１０からは、メッセージ送受信部２１等の無線ＩＰインタフェースを介して、後述するテキスト形式のテストメッセージｄ１が無線基地局装置１１に対して送信される。無線基地局装置１１と移動局１２との間では、無線部２５等の無線ＩＰインタフェースを介して無線信号ｄ２が送受信されることで、無線基地局装置１１の動作試験が行われる。また、無線基地局装置１１と移動局１２との間では、無線部２５等の無線ＩＰインタフェースを介して無線通信を行なうことにより、他の図示しない移動局１２や固定電話等と通常の通話が可能となる。
【００１２】
このような無線基地局装置１１は、図２において、試験装置１０から送信されるテキスト形式のテストメッセージｄ１を送受信するメッセージ送受信部２１と、メッセージ送受信部２１からの文字列ｄ１−１を供給されるテストメッセージ制御部２２と、テストメッセージ制御部２２に含まれ、メッセージ送受信部２１からの文字列ｄ１−１を受けてこれを後段に供給し、変換後のデータ列ｄ１−２を解析して、要求された動作を実現するための制御メッセージｄ１−３を後段に供給するメッセージ制御部２３と、図４に後述する対応表２００を記憶しており、メッセージ制御部２３から文字列ｄ１−１を受けてこれをデータ列ｄ１−２に変換するテキスト変換モジュール２４と、メッセージ制御部２３から受けた制御メッセージｄ１−３に応じた無線信号ｄ２をアンテナ２６を介して移動局１２に送信する無線部２５を有する。
【００１３】
（変換処理と動作試験）
次に、試験装置１０と上述した構成をもった無線基地局装置１１による、テキスト形式のテストメッセージｄ１の変換処理について、図３及び図４の説明図と図５のフローチャートを用いて以下に詳細に説明する。なお、図５のフローチャートの各ステップは、回路ブロックに置き換えることができ、各フローチャートのステップは、全て回路ブロックに定義しなおすことが可能である。
【００１４】
すなわち、無線基地局装置１１のテストメッセージ制御部２２である、メッセージ制御部２３、テキスト変換モジュール２４は、試験装置１０からメッセージ送受信部２１で受信したテストメッセージｄ１である文字列ｄ１−１に基づいて、制御メッセージｄ１−３を生成する。テキスト変換モジュール２４は、図３に示す、変換対象の文字列を格納した文字列記憶領域Ａ１と、変換対象文字列のデータ長２０１と、変換後のデータを格納するデータ列記憶領域Ａ２を、三つの引数として変換処理を実行する。
【００１５】
テキスト変換モジュール２４は、文字列記憶領域Ａ１に格納された文字列のメッセージ種別について、記憶領域に格納する対応表２００を用いて検索処理を行う（ステップＳ１，ステップＳ１１）。テキスト変換モジュール２４は、文字列記憶領域Ａ１に格納された文字列のメッセージ種別が、記憶領域に格納する対応表２００の中に見つかれば、対応するメッセージ種別の値（例えば“２”）を、データ列記憶領域Ａ２へ書き込む（ステップＳ２，Ｓ１２）。テキスト変換モジュール２４は、文字列記憶領域Ａ１に格納された文字列のメッセージ種別が、記憶領域に格納する対応表２００の中に見つからなければ、不正な文字列であると判断して、ステップＳ１７のエラー処理に進む。
【００１６】
テキスト変換モジュール２４は、メッセージ種別の値を格納した後は、文字列記憶領域Ａ１にパラメータを指定する文字列が含まれているかを検索する（ステップＳ２，Ｓ３，Ｓ１３）。テキスト変換モジュール２４は、文字列記憶領域Ａ１にパラメータを指定する文字列が含まれていると判断すると、パラメータの抽出（ステップＳ１４）及びパラメータの値（例えば“１”や“０”）を、データ列記憶領域Ａ２へ書き込む（ステップＳ４，Ｓ１５）。
【００１７】
テキスト変換モジュール２４は、このようなパラメータの抽出と格納を、パラメータがなくなるまで繰り返す（ステップＳ１３）。テキスト変換モジュール２４は、パラメータがなくなれば、データ列記憶領域Ａ２に必要なパラメータが十分に格納されているかどうかを判断する（ステップＳ１６）。テキスト変換モジュール２４は、データ列記憶領域Ａ２に必要なパラメータが十分に格納されていると判断すれば処理を終了し、データ列記憶領域Ａ２に必要なパラメータが十分には格納されていないと判断すれば、ステップＳ１７に進んでエラー処理を実行する。
【００１８】
このようにして、テキスト変換モジュール２４は、文字列記憶領域Ａ１に格納された文字列をデータ列記憶領域Ａ２に格納されたデータ列に変換する。メッセージ制御部２３は、データ列記憶領域Ａ２に格納されたデータ列に基づいて制御メッセージｄ１−３を生成し、無線部２５は、制御メッセージｄ１−３に応じた無線信号ｄ２をアンテナ２６を介して、移動局１２に送信することで、無線基地局装置１１の動作試験を自動的に実行することができる。
【００１９】
本発明の一実施形態に係る無線基地局装置においては、上述したように、テキスト形式のメッセージをデータ列へ変換するテキスト変換モジュールを用いることによって、メッセージの解析処理と制御処理を分別し、他装置への移植性やメッセージ仕様変更時などの保守性を向上させることができる。
【００２０】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００２１】
１０…試験装置、１１…無線基地局装置、１２…移動局、２１…メッセージ送受信部、２２…テストメッセージ制御部、２３…メッセージ制御部、２４…テキスト変換モジュール、２５…無線部、２６…アンテナ。
【図１】
2010171638.tif 000003
【図２】
2010171638.tif 000004
【図３】
2010171638.tif 000005
【図４】
2010171638.tif 000006
【図５】
2010171638.tif 000007